(57)【要約】      （修正有）【課題】引張完了後にベース体の実装及び接続スクリューの封止を自動的に完了すると共に、上骨部が元に滑り落ちる問題を回避する歯科インプラント用の引張器を提供する。【解決手段】引張器は、インプラント体モジュール１と引張モジュール２とを備え、インプラント体モジュールは、インプラント体１１と封止ネジ１２とベース体１３とを備え、封止ネジは、インプラント体の上端部のキャビティを封止し、ベース体は、インプラント体の下端部に可動的に接続され、ベース体の下端部内には雌ねじが設けられる。引張モジュールは、接続スクリュー２１と引張スクリュー２２と内側スリーブ２３と外側スリーブ２４とを備え、接続スクリューはベース体に螺接され、引張スクリューは接続スクリューの下方に位置し、内側スリーブはベース体の下方に設けられ、引張過程において接続スクリューを推進し、所定の位置まで引張スクリューを案内し、外側スリーブは、内側スリーブとベース体を接続する。【選択図】図１
0003224672.tif 000002
【実用新案登録請求の範囲】
【請求項１】
インプラント体モジュールと引張モジュールとを備える歯科インプラント用の引張器であって、前記インプラント体モジュールは、インプラント体と、封止ネジと、ベース体とを備え、前記封止ネジは、インプラント体の上端部に螺接され、インプラント体の上端部のキャビティを封止するためのものであり、前記ベース体は、インプラント体の下端部に可動的に接続され、前記ベース体の下端部内には雌ねじが設けられ、前記引張モジュールは、接続スクリューと、引張スクリューと、内側スリーブと、外側スリーブとを備え、前記接続スクリューはベース体に螺接され、前記引張スクリューは接続スクリューの下方に位置し、前記内側スリーブはベース体の下方に設けられ、内側スリーブは、引張過程において、接続スクリューを推進して所定の位置まで引張されるように引張スクリューを案内し、前記外側スリーブは、内側スリーブの外周に設けられ、内側スリーブとベース体を接続するためのものであることを特徴とする歯科インプラント用の引張器。
【請求項２】
前記接続スクリューは、接続端と、封止端とを備え、前記接続端の直径は封止端の直径よりも小さく、且つ、接続端はインプラント体の下端部のキャビティに適合して挿入でき、前記封止端には雄ねじが設けられていることを特徴とする請求項１に記載の歯科インプラント用の引張器。
【請求項３】
前記接続スクリューの封止端の長さは、ベース体の下端部内の雌ねじの長さと一致することを特徴とする請求項２に記載の歯科インプラント用の引張器。
【請求項４】
前記接続スクリューの底部に凹溝を設けることを特徴とする請求項１に記載の歯科インプラント用の引張器。
【請求項５】
前記引張スクリューに突起を設けることを特徴とする請求項１に記載の歯科インプラント用の引張器。
【請求項６】
インプラント体の上端部とベース体には、いずれも骨と結合する雄ねじが設けられていることを特徴とする請求項１に記載の歯科インプラント用の引張器。
【考案の詳細な説明】
【技術分野】
【０００１】
本考案は、医療機器に属し、より具体的に、口腔顎顔面修正・再建外科手術に用いられる顎骨の引張及びインプラント装置に関する。
【背景技術】
【０００２】
現在、口腔顎顔面修正・再建外科手術に用いられる顎骨の引張及びインプラント装置は、出願人の２００１年に設計開発した顎骨内装型の引張インプラント装置（中国特許出願番号：０１２３８４９７．６）があり、当該装置は顎骨引張器と歯科インプラントとを両立し、インプラント体、カバーネジ、固定羽からなる縦方向の引張インプラント体と、昇降スクリュー、接続スリーブ及び固定羽からなるガイドスリーブとから構成される。原理として、インプラント体の雄ねじによって上部移動骨ブロックを固定し、スリーブの雌ねじは昇降スクリューの推力伝導として用いられ、ガイドスリーブ内の昇降スクリューが反時計回りの方向に回動する時、上部骨ブロックを推進して上方へ移動させる。
【０００３】
この種類の装置は、使用時に次のような不足があることを見出した。（１）インプラント体と上部骨ブロックとの固定が不安定で、羽によって位置固定を補助する必要があり、インプラントし安定した後に二回目の手術で取り出すため、手術による外傷及び操作の難しさを増やし、（２）当該装置は、ガイドスリーブを取り外した後に軟部組織がインプラント体の底部から生み出され、インプラント体の周囲炎を引き起こし、さらに逆行性感染も発生し、（３）当該装置は、引張を完了しスリーブを取り外した後、しばしば上部引張骨ブロックが元に戻って、引張に失敗する場合があり、（４）当該装置は、上骨部のみに固定され、下骨部とは安定的に位置固定されないため、インプラント体の不安定性を増加させる。
【０００４】
出願人は２０１２年に新しい歯科インプラント用の引張器（ＤＩＤ）（Chenping, Z., et al., Dental implant distractor combined with free fibular flap: a new design for simultaneous functional mandibular reconstruction. J Oral Maxillofac Surg, 2012. 70(11): p. 2687-700.）を設計し、動物実験及び臨床実験に対する分析結果によって、歯科インプラント用の引張器を開発した。当該装置は、顎骨内装型の引張インプラント装置の特徴を保持した以外に、固定羽を除去して手術操作の難しさ及び外傷を低減させ、ベースネジを追加配置することでインプラント体の安定性を増大させる。主な構造として、インプラント体、カバーネジ、ベースネジ及び位置固定ネジからなる縦方向引張インプラント体と、引張スリーブ、スクリューレバー及び引張キャップからなる引張装置から構成される。
【０００５】
改良後の装置には、まだ次のような不足がある。（１）ベースネジを追加配置することでインプラント体の安定性を強化したが、引張スリーブを抜き出してベースネジを交換する過程が比較的に煩雑であり、医者はスリーブを取り外した後にベースネジの位置する場所を確定できない場合が多く、（２）引張スリーブを抜き出した後、上骨部が引張り前の位置に戻ることが発生して、引張効果に影響する場合があり、（３）ベースネジと位置固定ネジは、インプラント体と下骨部との安定性を増大することができるが、インプラントした入れ歯にインプラント体の周囲炎が発生して除去する必要がある場合、二回目の手術によりインプラント体の上下部構造を同時に除去する必要が多く、大幅に手術外傷が増加した。
【考案の概要】
【考案が解決しようとする課題】
【０００６】
本考案の第１の目的は、引張完了後にインプラント体の下端部の封止を自動的に完了し、ベース体を再度実装する必要がない歯科インプラント用の引張器を提供することである。
【課題を解決するための手段】
【０００７】
上記の目的を達成するために、本考案は次のような技術的手段を開示した。即ち、インプラント体モジュールと引張モジュールとを備える歯科インプラント用の引張器であって、前記インプラント体モジュールは、インプラント体と、封止ネジと、ベース体とを備え、前記封止ネジは、インプラント体の上端部に螺接され、インプラント体の上端部のキャビティを封止するためのものであり、前記ベース体は、インプラント体の下端部に可動的に接続され、前記ベース体の下端部内には雌ねじが設けられ、前記引張モジュールは、接続スクリューと、引張スクリューと、内側スリーブと、外側スリーブとを備え、前記接続スクリューはベース体に螺接され、前記引張スクリューは接続スクリューの下方に位置し、前記内側スリーブはベース体の下方に設けられ、内側スリーブは、引張過程において、接続スクリューを推進して所定の位置まで引張されるように引張スクリューを案内し、前記外側スリーブは、内側スリーブの外周に設けられ、内側スリーブとベース体を接続するためのものである。
【０００８】
好ましい態様として、前記接続スクリューは、接続端と、封止端とを備え、前記接続端の直径は封止端の直径よりも小さく、且つ、接続端はインプラント体の下端部のキャビティに適合して挿入でき、前記封止端には雄ねじが設けられている。
【０００９】
また、好ましい態様として、前記接続スクリューの封止端の長さは、ベース体の下端部内の雌ねじの長さと一致する。接続スクリューはインプラント体の下端部に連結され、引張過程において垂直に上方を向くようにインプラント体を推進し、引張完了後に下骨部に固定される。接続スクリューの封止端の長さはベース体の下端部内の雌ねじの長さと一致し、ねじ山がないため回転できない場合が所定の位置まで引張された時であり、最高引張点に到着し、ねじ山が締められていることを表す。長さの一致も、所定の位置まで引張された時に接続スクリューがベース体に完全に入り、突出も窪みもないように保証できる。
【００１０】
また、好ましい態様として、前記接続スクリューの底部に凹溝を設け、前記引張スクリューに突起を設ける。接続スクリューの凹溝と引張スクリューの突起は係合して協働し、引張過程において引張スクリューが接続スクリューを上方へ推進して引張を完了し、所定の位置まで引張された時、引張スクリューは上方の接続スクリューから自動的に外れる。
【００１１】
また、好ましい態様として、インプラント体の上端部とベース体には、いずれも骨と結合する雄ねじが設けられている。骨と結合する雄ねじは普通のねじ山と異なり、螺旋溝が浅く、ピッチが大きく、骨の安定に有利である。
【考案の効果】
【００１２】
本考案は次のような利点を有する。即ち、（１）引張完了後にベース体の実装及び接続スクリューの封止を自動的に完了し、再度ベース体を実装し封止する必要がなく、操作ステップを簡略化し、臨床操作の難しさを軽減すると共に、上骨部が元に滑り落ちる問題を回避する。（２）インプラント体とベース体との接続方式は非固定接続であり、インプラント体に周囲炎が発生したら、個別にインプラント体を取り出し、二回目の手術による患者への外傷と経済的負担を回避することができる。（３）外側スリーブの設計により手術操作が簡単になるだけでなく、内側スリーブとベース体との接続も巧妙に達成され、引張完了時に、外側スリーブをねじると、内側スリーブとベース体が自然に脱落する。
【図面の簡単な説明】
【００１３】
【図１】所定の位置まで引張された時の装置の模式図である。
【図２】引張完了し外側スリーブをねじり外した状態の模式図である。
【図３】ベース体の好ましい一実施例の模式図である。
【図４】接続スクリューの好ましい一実施例の模式図である。
【符号の説明】
【００１４】
１  インプラント体モジュール
２  引張モジュール
１１  インプラント体
１２  封止ネジ
１３  ベース体
２１  接続スクリュー
２２  引張スクリュー
２３  内側スリーブ
２４  外側スリーブ
１３１  骨と結合する雄ねじ
１３２  ベース体の下端部内の雌ねじ
２１１  接続端
２１２  封止端
２１３  封止端の雄ねじ
２１４  凹溝
【考案を実施するための形態】
【００１５】
以下、具体的な実施例を参照しながら、本考案をさらに説明する。下記の実施例に採用される実験方法は、特に明記しない限り、いずれも通常方法である。下記の実施例に用いられる材料、試薬等は、特に明記しない限り、いずれも市販されるものである。なお、これらの実施例がただ本考案を説明するためのものであり、本考案の範囲を限定するためのものではないことは理解されるべきである。
【実施例１】
【００１６】
図１を参照すると、図１は所定の位置まで引張された時の装置の模式図であり、歯科インプラント用の引張器は、インプラント体モジュール１と、引張モジュール２とを備え、インプラント体モジュール１は、インプラント体１１と、封止ネジ１２と、ベース体１３とを備え、前記封止ネジ１２は、インプラント体の上端部に螺接され、インプラント体の上端部のキャビティを封止するためのものであり、ベース体１３は、インプラント体１１の下端部に可動的に接続され（所定の位置まで引張された時）、ベース体１３の下端部内には雌ねじが設けられ、前記引張モジュール２は、接続スクリュー２１と、引張スクリュー２２と、内側スリーブ２３と、外側スリーブ２４とを備え、前記接続スクリュー２１はベース体１３に螺接され、前記引張スクリュー２２は接続スクリュー２１の下方に位置し、内側スリーブ２３はベース体１３の下方に設けられ、内側スリーブ２３は、引張過程において、接続スクリュー２１を推進して所定の位置まで引張されるように引張スクリュー２２を案内し、外側スリーブ２４は、内側スリーブ２３の外周に設けられ、内側スリーブ２３とベース体１３を接続するためのものである。
【００１７】
使用時に、ベース体１３とインプラント体１１とは、挽かれた腓骨にそれぞれ固定され、引張ドライバーのプラス刃先を引張スクリューに挿入して右回転させ、同時に、接続スクリュー２１は連動してインプラント体１１を支えながら上腓骨と共に上方へ移動し引張を実現する。接続スクリュー２１がベース体１３のねじ山にねじ込まれてロックされると、引張が完了する。図２は引張完了し外側スリーブをねじり外した状態の模式図であり、外側スリーブ２４を左回転して、外側スリーブ２４をベース体１３から外した後に内側スリーブ２３と引張スクリュー２２を下向きに抜き出す。
【００１８】
図４は接続スクリューの好ましい一実施例の模式図であり、接続スクリュー２１は、接続端２１１と、封止端２１２とを備え、前記接続端２１１の直径は封止端２１２の直径よりも小さく、且つ、接続端２１１はインプラント体１１の下端部のキャビティに適合して挿入でき、前記封止端２１２には雄ねじ２１３が設けられている。
【００１９】
図３はベース体の好ましい一実施例の模式図であり、ベース体１３に骨と結合する雄ねじ１３１を設け、下端部の内側には雌ねじ１３２が設けられている。接続スクリュー２１の封止端２１２の長さは、ベース体１３の下端部内の雌ねじ１３２の長さと一致する。接続スクリュー２１はインプラント体１１の下端部に連結され、引張過程において垂直に上方を向くようにインプラント体を推進し、引張完了後に下骨部に固定される。接続スクリュー２１の封止端２１２の長さはベース体１３の下端部内の雌ねじ１３２の長さと一致し、ねじ山がないため回転できない場合が所定の位置まで引張された時であり、最高引張点に到着すると共に、ロックされたことを表す。長さの一致も、所定の位置まで引張された時に接続スクリュー２１がベース体１３に完全に入り、突出も窪みもないように保証できる。
【００２０】
好ましい一態様として、接続スクリュー２１の底部に凹溝２１４を設け、前記引張スクリューに突起を設ける。接続スクリューの凹溝と引張スクリューの突起は係合して協働し、引張過程において引張スクリューが接続スクリューを上方へ推進して引張を完了し、所定の位置まで引張された時、引張スクリューは上方の接続スクリューから自動的に外れる。
【００２１】
また、好ましい態様として、インプラント体１１の上端部とベース体１３には、いずれも骨と結合する雄ねじが設けられている。骨と結合する雄ねじは普通のねじ山と異なり、螺旋溝が浅く、ピッチが大きく、骨の安定に有利である。
【００２２】
上記はただ本考案の好ましい実施形態であり、本分野の当業者であれば、本考案の主旨から逸脱しない限り、様々な改善及び修正を行うことができ、これらの改善及び修正も本考案の保護範囲に含まれるものであるとみなすべきである。
【図１】
0003224672.tif 000003
【図２】
0003224672.tif 000004
【図３】
0003224672.tif 000005
【図４】
0003224672.tif 000006